(57)【要約】      （修正有）【課題】被検者の身体に接触する配線が、被検者の睡眠の妨げになる可能性、及び、そのような配線が被検者の身体に引っかかる可能性を排除する装置を提供する。【解決手段】生体情報収集装置は、経皮的動脈血酸素飽和度（ＳｐＯ２）に関連する情報であるＳｐＯ２データを検出するＳｐＯ２センサと、ＳｐＯ２センサから供給されたＳｐＯ２データを記録及び／又は外部装置に出力する本体部１とを有する。ここで、ＳｐＯ２センサと本体部１とは、被検者の頭部に装着される。これにより、被検者に接触する可能性のある配線を極力なくした構成を実現する。【選択図】図１
2014008160.tif 000002
【特許請求の範囲】
【請求項１】
生体情報収集装置であって、
経皮的動脈血酸素飽和度（ＳｐＯ２）に関連する情報であるＳｐＯ２データを検出するＳｐＯ２センサと、
前記ＳｐＯ２センサから供給されたＳｐＯ２データを記録及び／又は外部装置に出力する本体部と、
を有し、
前記ＳｐＯ２センサと前記本体部とが被検者の頭部に装着されることを特徴とする生体情報収集装置。
【請求項２】
前記ＳｐＯ２センサは、被検者の額に装着される反射型ＳｐＯ２センサであることを特徴とする請求項１に記載の生体情報収集装置。
【請求項３】
前記反射型ＳｐＯ２センサは、前記本体部に内蔵され、前記本体部と共に被検者の額に装着されることを特徴とする請求項２に記載の生体情報収集装置。
【請求項４】
前記本体部は被検者の頭頂部に装着されることを特徴とする請求項２に記載の生体情報収集装置。
【請求項５】
前記本体部と接続され、鼻腔管が被検者の鼻孔内に挿入された状態で鼻呼吸及び気道音の少なくともいずれかを測定するためのカニューレを更に有することを特徴とする請求項１乃至４のいずれか１項に記載の生体情報収集装置。
【請求項６】
被検者の鼻及び口に近接する位置に取り付けられ、被検者の呼気によるサーミスタの電気抵抗の変化を検出することで被検者の呼吸量を計測するためのエアフローサーミスタセンサを更に有することを特徴とする請求項５に記載の生体情報収集装置。
【請求項７】
前記本体部は、被検者の額及び鼻を覆うマスク型形状の筐体を有し、
前記筐体の被検者の額に対応する位置に前記反射型ＳｐＯ２センサが設けられ、
前記筐体の被検者の鼻に対応する位置に前記カニューレが設けられる
ことを特徴とする請求項５に記載の生体情報収集装置。
【請求項８】
前記ＳｐＯ２センサは、被検者の耳たぶに装着される透過型ＳｐＯ２センサであることを特徴とする請求項１に記載の生体情報収集装置。
【発明の詳細な説明】
【技術分野】
【０００１】
本発明は生体情報収集装置に関する。
【背景技術】
【０００２】
従来、睡眠時無呼吸症候群（sleep apnea syndrome: SAS）の検査として、睡眠ポリグラフィ（PolySomnoGraphy: PSG）が知られている（例えば特許文献１参照）。睡眠ポリグラフィは通常、病院内において、多数の電極類を装着して終夜にかけて行われる。そこでは、呼吸(air flow)、いびきをはじめ、経皮的動脈血酸素飽和度（ＳｐＯ２）、努力呼吸、脈拍数、心電図(ECG)、体位・体動など多岐にわたる項目が測定されうる。
【０００３】
一般には、このような病院での精密検査の前に、簡易型ＰＳＧ装置によるスクリーニング検査が行われる。簡易型ＰＳＧ装置によるスクリーニング検査は、測定項目を、呼吸、いびき、ＳｐＯ２といった代表的なものに絞って行うため、装置構成が大掛かりにならず在宅で行うことができるというメリットがある。
【先行技術文献】
【特許文献】
【０００４】
【特許文献１】特表平１１−５０４８４０号公報
【発明の概要】
【発明が解決しようとする課題】
【０００５】
しかし、簡易型ＰＳＧ装置といえども、従来、被検者の顔面には、呼吸やいびきを測定するためのカニューレが装着され、また、被検者の指先には、ＳｐＯ２を測定するためのＳｐＯ２センサが装着され、これらはそれぞれ、検査装置本体へと配線される。
【０００６】
このような配線は、被検者の身体に接触し睡眠を妨げる可能性がある。また、配線が被検者の身体に引っかかりセンサ類が外れるおそれもある。
【０００７】
そこで、本発明は、被検者に接触する可能性のある配線を極力なくした構成の生体情報収集装置を提供することを目的とする。
【課題を解決するための手段】
【０００８】
本発明の一側面によれば、生体情報収集装置であって、経皮的動脈血酸素飽和度（ＳｐＯ２）に関連する情報であるＳｐＯ２データを検出するＳｐＯ２センサと、前記ＳｐＯ２センサから供給されたＳｐＯ２データを記録及び／又は外部装置に出力する本体部とを有し、前記ＳｐＯ２センサと前記本体部とが被検者の頭部に装着されることを特徴とする生体情報収集装置が提供される。
【発明の効果】
【０００９】
本発明によれば、被検者に接触する可能性のある配線を極力なくした構成の生体情報収集装置が提供される。これにより、配線が被検者の睡眠を妨げる可能性を低減することができる。また、配線が被検者の身体に引っかかりセンサ類が外れる可能性も低減することができる。
【図面の簡単な説明】
【００１０】
【図１】第１の実施形態における生体情報収集装置の外観斜視図。
【図２】第１の実施形態における生体情報収集装置の第１の装着例を示す図。
【図３】第１の実施形態における生体情報収集装置の第２の装着例を示す図。
【図４】第２の実施形態における生体情報収集装置の装着例を示す図。
【図５】第３の実施形態における生体情報収集装置の装着例を示す図。
【発明を実施するための形態】
【００１１】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決のために必須のものであるとは限らない。
【００１２】
＜第１の実施形態＞
図１は、第１の実施形態における生体情報収集装置としての簡易型ＰＳＧ装置の一例を示す外観斜視図である。図１において、（ａ）は装置の表面の外観を表し、（ｂ）はＡ矢視図（要部）であって、装置の裏面の外観を表している。
【００１３】
ＰＳＧ装置の本体部１は、ＣＰＵ、ＲＡＭ、ＲＯＭ等を内蔵し、ＣＰＵがＲＯＭに記憶された制御プログラムを実行することで睡眠ポリグラフィとしての機能を実現する。本体部１は、そこに接続された各種センサを介して、例えば最大２４時間分の呼吸データ、経皮的動脈血酸素飽和度（ＳｐＯ２）に関連するＳｐＯ２データ等を収集し、不図示のメモリカードに記録、及び／又は、外部装置に出力する。例えば、本体部１と外部のコンピュータ装置とを有線又は無線で通信可能に接続し、本体部１は収集したＳｐＯ２データをそのコンピュータ装置に転送することができる。なお、本体部１は、上記以外のデータ、例えば、脈拍数、体位、心電図等のデータをも収集、記録、送信可能に構成されていてもよい。なお、この本体部１の具体的な構成及びその処理内容は本発明と直接関係がないので、これ以上の説明は省略する。
【００１４】
従来、ＰＳＧ装置本体は、被検者の枕元あるいはベッドサイドに設置されていたり、被検者の腕や胸部に装着されていたりした。これに対し、本実施形態のＰＳＧ装置の本体部１は、被検者の頭部、例えば額に装着される点に特徴がある。本体部１の左右端部には伸縮性のヘッドバンド２が取り付けられており、本体部１の額への装着は、このヘッドバンド２を被検者の頭部に巻きつけることで行われる。
【００１５】
なお、装着時のフィットが得られるよう、本体部１の被検者の額と接する面は、図１に示されるように、頭部の形状に沿うように湾曲して形成されているとよい。さらに、図１の（ｂ）に示されるように、本体部１の被検者の額と接する面には、ゴムあるいはスポンジ製の緩衝材３が貼付されているとよい。
【００１６】
本実施形態では、ＳｐＯ２データを検出するＳｐＯ２センサ４が本体部１に内蔵されており、図１の（ｂ）に示されるように、そのセンサ面が本体部１の被検者の額と接する面を向くように取り付けられる。ここで、ＳｐＯ２センサ４は、被検者の額に対する反射型ＳｐＯ２センサである。
【００１７】
また、本体部１の下部には、カニューレコネクタ５を介して、カニューレ６が接続される。カニューレ６は、鼻腔管６ａが被検者の鼻孔内に挿入された状態で鼻呼吸及び気道音の少なくともいずれかを測定するための圧力センサを含む。
【００１８】
図２に、本実施形態におけるＰＳＧ装置の第１の装着例を示す。同図に示すように、本体部１は、ヘッドバンド２を被検者の頭部に巻きつけることによって、被検者の額と当接するように装着される。この状態において、ＳｐＯ２センサ４は被検者の額と対向することになる。
【００１９】
カニューレ６の鼻腔管６ａは、被検者の鼻孔内に挿入される。このとき、鼻腔管６ａが被検者の鼻孔から脱落しないよう、サージカルテープ等で固定してもよい。
【００２０】
上記実施形態においては、従来、被検者の指先に装着していた透過型ＳｐＯ２センサの代わりに、被検者の額に対する反射型ＳｐＯ２センサ４が使用される。そして、この反射型ＳｐＯ２センサ４は、本体部１に内蔵され、本体部１と共に被検者の額に装着される。これにより、従来、被検者の指先に装着していたＳｐＯ２センサと本体部との間の配線をなくすことができ、そのような配線によって被検者の睡眠を妨げる可能性がなくなる。また、そのような配線が被検者の身体に引っかかりＳｐＯ２センサが外れることもなくなる。
【００２１】
図３に、本実施形態におけるＰＳＧ装置の第２の装着例を示す。ここでは、図２に示した第１の装着例に対して、さらに、被検者の鼻及び口に近接する位置にエアフローサーミスタセンサ７が装着されている。エアフローサーミスタセンサ７は、被検者の呼気によるサーミスタの電気抵抗の変化を検出することで被検者の呼吸量を計測するためのセンサである。エアフローサーミスタセンサ７の被検者の鼻及び口に近接する位置への装着は、エアフローサーミスタセンサ７の両端部に取り付けられた伸縮性のマウスバンド８を被検者の頬に巻きつけることで行われる。このとき、カニューレ６を共にマウスバンド８で固定するようにしてもよい。
【００２２】
エアフローサーミスタセンサ７をカニューレ６と共に使用することで、無呼吸区間の判定精度を高めることが可能である。
【００２３】
＜第２の実施形態＞
上述の第１の実施形態では、反射型ＳｐＯ２センサ４が、本体部１に内蔵され、本体部１と共に被検者の額に装着される構成を示した。これに対し、以下に説明する第２の実施形態では、反射型ＳｐＯ２センサ４が本体部１から分離した構成を示す。
【００２４】
図４に、第２の実施形態におけるＰＳＧ装置の装着例を示す。
【００２５】
図４に示すように、反射型ＳｐＯ２センサ４と本体部１とは配線４ａを介して接続される。反射型ＳｐＯ２センサ４は被検者の額に当接した状態でヘッドバンド９を使用して固定される。本体部１は、固定具１０を用いて被検者の頭頂部に装着される。固定具１０は、ヘルメットのストラップの如く顎の位置で締め付けるものでもよいし、頭部全体を覆うメッシュタイプの帽子でもよい。
【００２６】
このような態様においては、ＳｐＯ２センサと本体部との間の配線はわずかな距離で済むから、そのような配線によって被検者の睡眠を妨げる可能性は低い。また、本体部１は頭頂部で保持されるので、被検者の寝返り等の自然な体位変動を妨げにくいという利点がある。
【００２７】
＜第３の実施形態＞
図５に、第３の実施形態におけるＰＳＧ装置の例を示す。本実施形態では、本体部１の筐体は、被検者の額及び鼻を覆うマスク型形状に形成されている。そして、その筐体の被検者の額に対応する位置に反射型ＳｐＯ２センサ４が取り付けられる。さらに、その筐体の被検者の鼻に対応する位置にカニューレ６が設けられる。
【００２８】
このようなマスク型形状の筐体により、本体部、ＳｐＯ２センサ、及びカニューレの一体構成が実現される。
【００２９】
以上、本発明の各種実施形態を説明したが、本発明はここに開示した実施形態に限定されるものではなく、さまざまな変形が可能である。例えば、頭部に取り付けるＳｐＯ２センサとしては、額に当接する反射型ＳｐＯ２センサだけではなく、耳たぶに装着する透過型ＳｐＯ２センサを用いることも考えられる。
【図１】
2014008160.tif 000003
【図２】
2014008160.tif 000004
【図３】
2014008160.tif 000005
【図４】
2014008160.tif 000006
【図５】
2014008160.tif 000007